(57)【要約】【課題】表示パネルの表示面を大きくでき、しかも表示パネル下側に大きい隙間を設けることなく、表示パネルの前面が下向くように傾斜させることが可能であり、しかも、表示パネルが駆動されるときに車両等のクラスターパネルと干渉することが確実に防止される電子機器の表示パネル駆動機構を提供する。【解決手段】電子機器の前面に配置される表示パネル１の下側を前後方向に駆動されるスライダ４に追従して移動する第１の軸５ａ回りに回動自在に支持し、表示パネル１の上側に取付けられた部材９に設けた第２の軸９ａを筐体に固定された部材２に設けたガイド溝２ａに沿って移動させる電子機器の表示パネル駆動機構において、表示パネル１が電子機器の前面を傾斜しない状態で覆う位置となる初期状態から前記第１の軸５ａを後方向に移動させて前記表示パネルの前面が下向くように傾斜させる前記第１の軸５ａの移動の初期に前記第１の軸５ａが後方および上方に移動するように構成した。【選択図】        図１
2006123751.tif 000002
【特許請求の範囲】
【請求項１】
電子機器の前面に配置される表示パネルの下側を前後方向に駆動されるスライダに追従して移動する第１の軸回りに回動自在に支持し、前記表示パネルの上側に直接立設されまたは前記表示パネルの上側に取付けられた部材に設けた第２の軸を筐体に固定された部材に設けたガイド溝に沿って移動させる電子機器の表示パネル駆動機構において、前記表示パネルが電子機器の前面を傾斜しない状態で覆う位置となる初期状態から前記第１の軸を後方向に移動させて前記表示パネルの前面が下向くように傾斜させる前記第１の軸の移動の初期に前記第１の軸が後方および上方に移動するように構成した電子機器の表示パネル駆動機構。
【請求項２】
前記表示パネルの上側に取付けられた部材は表示パネルに回動自在に支持されたレバーであり、前記レバーの一部が前記表示パネルと当接することにより前記レバーの表示パネルに対する回動範囲が規制され、前記レバーに第２の軸が立設されている請求項１の電子機器の表示パネル駆動機構。
【請求項３】
前記表示パネルが電子機器の前面を傾斜しない状態で覆う位置となる初期状態から前記スライダおよび第１の軸が前方向にも移動可能であり、前記スライダを前方向に移動させて前記表示パネルを前面が上向くように傾斜させることを可能とした請求項１または２の表示パネル駆動機構。
【請求項４】
前記第１の軸が前記スライダに回動自在に支持されたアームに立設されており、前記アームに設けられたカムフォロアが筐体に固定されたカムと摺接するように構成された請求項１から３のいずれかに記載された表示パネル駆動機構。
【請求項５】
前記アームは回動自在に支持される軸回りに前記カムフォロアが前記カムと圧接する方向にばねで付勢されており、前記スライダの前方移動に伴って前記カムフォロアが前記カムから離れたときに前記レバーの回動を規制するストッパを前記スライダに設けた請求項４の表示パネル駆動機構。
【請求項６】
前記スライダにサブスライダが支持されると共に前記サブスライダに前記第１の軸が立設されており、前記サブスライダは前記表示パネルが電子機器の前面を傾斜しない状態で覆う位置となる初期状態から前記第１の軸を後方向および上方に移動させるように前記スライダに対して移動されるように構成した請求項１から３のいずれかに記載された表示パネル駆動機構。
【発明の詳細な説明】
【技術分野】
【０００１】
この発明は電子機器の表示パネル駆動機構に係わり、特に、車載用電子機器に好適な表示パネル駆動機構に関する。
【背景技術】
【０００２】
従来の車載用電子機器の表示パネル駆動機構の例を図４を参照して説明する。図４に示す車載用電子機器の筐体３に図示していないシャーシとサブパネル２が固定されており、サブパネル２の前面が車両のクラスターパネル７と当接するように車載用電子機器の筐体３が車両に取り付けられる。
【０００３】
前記シャーシには図示していない駆動機構により駆動されるスライダ１２が前後方向（図示の左方向および右方向）に可動に取り付けられている。スライダ１２に立設された軸１２ａに表示パネル１の下方部が回動自在に支持されており、表示パネル１の上方部に固定された軸１ａがサブパネル２に設けられたガイド溝２ａに係合している。
【０００４】
表示パネル１にはＬＣＤ等の表示部８が取り付けられている。スライダ１２が前方に駆動されると、スライダ１２と共に軸１２ａが前方に移動し、表示パネル１の下方部が前方（図における左方向）に移動する。そのとき表示パネル１の上方部の軸１ａはガイド溝２ａに案内されて下方に移動する。
【０００５】
すなわち、表示パネル１は下方部がせり出すようにして傾斜し、サブパネル２に設けられた記録媒体挿入口を解放し記録媒体の出し入れが可能となる。この状態で表示部８の前面は上を向いており、乗員が表示部８を見ることができ、車載用電子機器を使用することが可能である。
【０００６】
上記した従来の表示パネル駆動機構では、表示パネル１の下方部がせり出すよう駆動され、表示パネル１の前面が上向くように傾斜される。しかしながら、表示パネル１の前面が下向くように傾斜されない。車載用電子機器が乗員の前下方に水平に配置される場合は、前面が上向くように傾斜することにより表示パネル１の表示面が見やすくなるが、車載用電子機器が常にこのような位置および姿勢で車両に取付けられるとは限らない。
【０００７】
例えば、車載用電子機器が乗員の目線より上に取付けられる場合や車載用電子機器を傾斜させて取付けられる場合がある。このうような場合は、表示パネル１の表示面を見やすい姿勢とし、あるいは太陽光の反射を避けるため、表示パネル１の前面が下向くように傾斜させることが要望される。
【０００８】
上記した従来の表示パネル駆動機構において、図４に示す状態でスライダ１２を後方に移動させて表示パネル１の前面が下向くように傾斜させようとすると、表示パネル１の下端面１ｂがサブパネル２の開口部下側角２ｂと干渉する。また、車種によってクラスタパネル７の開口部が狭いものでは表示パネル１の下端面１ｂがクラスタパネル７と干渉してスタックする恐れがある。
【０００９】
特開平７−２８５３９０号公報に提案された車載用電子機器収容箱ではパネルの前面が下向くように回動させる構成となっているが、パネルが回動するときにパネルが本体ケースの開口部と干渉しないようにパネルの下面は回動軸を中心とする円弧状に形成されている。このためパネルの表示面を大きくすることができず、また、パネルの下側に隙間があいて見栄えがよくないという問題があった。
【特許文献１】特開平７−２８５３９０号公報、段落００１１、図１、図２
【発明の開示】
【発明が解決しようとする課題】
【００１０】
この発明は上記した点に鑑みてなされたものであって、その目的とするところは、表示パネルの表示面を大きくでき、しかも表示パネル下側に大きい隙間を設けることなく、表示パネル１の前面が下向くように傾斜させることが可能であり、しかも、表示パネルが駆動されるときに車両等のクラスターパネルと干渉することが確実に防止される電子機器の表示パネル駆動機構を提供することにある。
【課題を解決するための手段】
【００１１】
この発明の電子機器の表示パネル駆動機構は、電子機器の前面に配置される表示パネルの下側を前後方向に駆動されるスライダに追従して移動する第１の軸回りに回動自在に支持し、前記表示パネルの上側に直接立設されまたは前記表示パネルの上側に取付けられた部材に設けた第２の軸を筐体に固定された部材に設けたガイド溝に沿って移動させる電子機器の表示パネル駆動機構において、前記表示パネルが電子機器の前面を傾斜しない状態で覆う位置となる初期状態から前記第１の軸を後方向に移動させて前記表示パネルの前面が下向くように傾斜させる前記第１の軸の移動の初期に前記第１の軸が後方および上方に移動するように構成したものである。
【００１２】
また、前記電子機器の表示パネル駆動機構において、前記表示パネルの上側に取付けられた部材が表示パネルに回動自在に支持されたレバーであり、前記レバーの一部が前記表示パネルと当接することにより前記レバーの表示パネルに対する回動範囲が規制され、前記レバーに第２の軸が立設されているものである。
【００１３】
また、前記各電子機器の表示パネル駆動機構において、前記表示パネルが電子機器の前面を傾斜しない状態で覆う位置となる初期状態から前記スライダおよび第１の軸が前方向にも移動可能であり、前記スライダを前方向に移動させて前記表示パネルを前面が上向くように傾斜させることを可能としたものである。
【００１４】
また、前記各電子機器の表示パネル駆動機構において、前記第１の軸が前記スライダに回動自在に支持されたアームに立設されており、前記アームに設けられたカムフォロアが筐体に固定されたカムと摺接するように構成されたものである。
【００１５】
また、前記電子機器の表示パネル駆動機構において、前記アームは回動自在に支持される軸回りに前記カムフォロアが前記カムと圧接する方向にばねで付勢されており、前記スライダの前方移動に伴って前記カムフォロアが前記カムから離れたときに前記レバーの回動を規制するストッパを前記スライダに設けたものである。
【００１６】
さらに、上述の電子機器の表示パネル駆動機構において、前記スライダにサブスライダが支持されると共に前記サブスライダに前記第１の軸が立設されており、前記サブスライダは前記表示パネルが電子機器の前面を傾斜しない状態で覆う位置となる初期状態から前記第１の軸を後方向および上方に移動させるように前記スライダに対して移動されるように構成したものである。
【発明の効果】
【００１７】
この発明の表示パネル駆動機構よれば、表示パネルの前面が下向くように傾斜させることができるので、車載用電子機器の取付け位置や姿勢に拘らず表示面を見やすい姿勢とすることができる。しかも、表示パネルの表示面を大きくでき、表示パネル下側に大きい隙間を設ける必要がなく、見栄えのよいものとなる。
【００１８】
そして、クラスターパネルの開口部が狭い場合でも、表示パネルが駆動されるときに車両等のクラスターパネルと干渉することが確実に防止される。
【発明を実施するための最良の形態】
【００１９】
以下この発明を実施するための最良の形態を実施例に即して説明する。
【実施例１】
【００２０】
図１はこの発明の実施例１である電子機器の表示パネル駆動機構を一部部材を透視して示す部分側面図である。図１に示す車載用電子機器の筐体３に図示していないシャーシとサブパネル２が固定されており、サブパネル２の前面が車両のクラスターパネル７と当接するように車載用電子機器の筐体３が車両に取り付けられる。
【００２１】
前記シャーシにはスライダ４が前後方向（図示の左方向および右方向）に可動に取り付けられている。スライダ４は図示していない駆動機構により前後方向に駆動される。スライダ４に立設されたアーム回動中心軸４ａはアーム５を回動自在に支持している。
【００２２】
アーム５の一方の側に立設された第１の軸５ａは表示パネル１の下部を回動自在に支持しており、アーム５の他方の側に立設された軸に回転自在に支持されたローラ５ｂはシャーシに固定されたローラガイドに設けられたカム６ａに圧接されている。
【００２３】
すなわち、アーム５は図示していないばねより反時計方向に付勢されており、ローラ５ｂがカム６ａから離れたときにアーム５の回動を規制する図示していないストッパがスライダ４に設けられている。
【００２４】
表示パネル１に立設された軸１ａにレバー９が回動自在に支持されており、レバー９に立設された第２の軸９ａはローラ１０を回転自在に支持している。ローラ１０はサブパネル２に設けられたガイド溝２ａに係合している。レバー９の折曲げ片９ｂは表示パネル１と当接可能となっており、レバー９の表示パネル１に対する回動範囲が規制される。
【００２５】
上記スライダ４、ガイド溝２ａ、アーム５、レバー９および第１の軸９ａは表示パネル１の両側部に対称に設けられている。そして、両側のスライダ４は一体構造となっている。表示パネル１にはＬＣＤ等の表示部８が取り付けられている。
【００２６】
上記構成の表示パネル駆動機構の作用を説明する。スライダ４は図１に示す位置を初期状態として前方にも後方にも駆動される。図２はスライダ４が図１に示す位置から後方に駆動されるときの表示パネル１の軌跡を示している。
【００２７】
図２に示すように、スライダ４の後方への移動に伴いローラ５ｂは後方に移動するが、ローラ５ｂはカム６ａに圧接されており、スライダ４の後方への移動に伴い第１の軸５ａは後方に移動すると共に上方に移動する。このとき表示パネル１には上向きの力が作用するが、第２の軸９ａはガイド溝２ａの上端に位置して動かない。
【００２８】
そして、表示パネル１は軸１ａ回りに回動する。そのとき、レバー９は第２の軸９ａを回動中心として時計方向に回動する。このような動きにより表示パネル１の前面を下向きに傾けることができる。このとき、第１の軸５ａは後方に移動すると共に上方に移動するため、表示パネルの下端面がクラスターパネル７に近接したりクラスターパネル７と干渉してスタックすることが防止される。
【００２９】
スライダ４が図１に示す位置から前方に駆動されると、スライダ４の前進に伴い第１の軸５ａは前進すると共に下方に移動する。したがって、表示パネルの頂上部がクラスターパネル７に近接したりクラスターパネル７と干渉してスタックすることが防止される。スライダ４がローラ５ｂとカム６ａが離れた後もさらに前進すると、アーム５はスライダのストッパと当接して回動が停止されている。
【００３０】
表示パネル１の下方部が大きく前方に移動するとき、レバー９の折曲げ片９ｂが表示パネル１と当接してレバー９は表示パネル１と一体となって動く。そして、レバー９に立設された第２の軸９ａはガイド溝２ａに案内されて下方に大きくに移動する。このように傾斜した表示パネル１はサブパネル２に設けられた記録媒体挿入口を解放し記録媒体の出し入れが可能となる。
【００３１】
実施例は以上のように構成されているが発明はこれに限られず、アーム５のローラ５ｂの上方への移動を規制するカム６ａをローラ５ｂの下方への移動も規制する溝形状にすれば、アーム５を付勢する前述のばねは不要となる。
【実施例２】
【００３２】
図３はこの発明の実施例２である電子機器の表示パネル駆動機構を一部部材を透視して示す部分側面図である。この例ではスライダ４に立設されたサブスライダ支持軸４ｂ、４ｂがサブスライダ１１のガイド溝１１ｂ、１１ｂを挿通しており、サブスライダ１１はスライダ４に移動自在に支持されている。
【００３３】
サブスライダ１１に立設された第１の軸１１ａは表示パネル１の下方部を回動自在に支持している。スライダ４は図３に示す位置からサブスライダ１１と一体に前方向に駆動され、スライダ４が図３に示す位置において、サブスライダ１１を図示していない駆動機構により後方に駆動することができる。他の構成は実施例１と同様であり、実施例１と同じ機能を有する部材は同一の符号を付しており、その詳細な説明を省略する。
【００３４】
この例ではサブスライダ１１がスライダ４に対して後方に駆動されるときに第１の軸１１ａは後方に移動すると共に上方に移動する。したがって、表示パネルの下端面がクラスターパネル７に近接したりクラスターパネル７と干渉してスタックすることが防止される。そして、このような動きにより表示パネル１の前面を下向きに傾けることができる。
【図面の簡単な説明】
【００３５】
【図１】この発明の実施例１である電子機器の表示パネル駆動機構を一部部材を透視して示す部分側面図である。
【図２】同表示パネル駆動機構の表示パネル駆動機構における表示パネル駆動動作の部材移動軌跡を示す部分側面図である。
【図３】この発明の実施例２である電子機器の表示パネル駆動機構を一部部材を透視して示す部分側面図である。
【図４】従来の電子機器の表示パネル駆動機構を一部部材を透視して部材移動軌跡を示す部分側面図である。
【符号の説明】
【００３６】
１  表示パネル、１ａ  軸、１ｂ  下端面
２  サブパネル、２ａ  ガイド溝、２ｂ  開口部下側角
３  筐体
４  スライダ、４ａ  アーム回動中心軸、４ｂ  サブスライダ支持軸
５  アーム、５ａ  第１の軸、５ｂ  ローラ
６  ローラガイド、６ａ  カム
７  クラスターパネル
８  表示部
９  レバー、９ａ  第２の軸、９ｂ  折曲げ片
１０  ローラ
１１  サブスライダ、１１ａ  第１の軸、１１ｂ  ガイド溝
１２  スライダ、１２ａ  軸
【図１】
2006123751.tif 000003
【図２】
2006123751.tif 000004
【図３】
2006123751.tif 000005
【図４】
2006123751.tif 000006